(57)【要約】【課題】使用する場所や使用する人等の使用状況に応じて、利器本体に対するハンドルの取付状態を変更することができて、手首等に負担が掛かることなく容易に使用することができる手動利器を提供する。【解決手段】利器本体２２とハンドル２３とを備える。取付軸２４とその取付軸２４に着脱可能に螺合するネジ２５とからなる取付構成により、ハンドル２３を利器本体２２に対して上向き状態と下向き状態とに反転可能に取り付ける。この各向きのハンドル２３の取付状態において、利器本体２２に対するハンドル２３の取付角度を変更可能にする。【選択図】　　　　図４
2004024288.tif 000002
【特許請求の範囲】
【請求項１】
利器本体とハンドルとよりなる手動利器において、
前記ハンドルを利器本体に対して向きの反転可能に取り付けるための取付手段を設けことを特徴とする手動利器。
【請求項２】
前記取付手段は、ハンドルを利器本体に対して角度の変更可能に取り付けるための取付軸と、その取付軸に着脱可能に螺合するネジとよりなることを特徴とする請求項１に記載の手動利器。
【請求項３】
前記利器本体に対するハンドルの回動端部を規制するための規制手段を設けたことを特徴とする請求項２に記載の手動利器。
【発明の詳細な説明】
【０００１】
【発明の属する技術分野】
この発明は、包丁やナイフ等の手動利器に関するものである。
【０００２】
【従来の技術】
一般に、包丁やナイフ等の手動利器においては、利器本体の基端部にほぼ直線棒状のハンドルが着脱不能に固定されていた。
【０００３】
【発明が解決しようとする課題】
ところが、この包丁等の手動利器を使用して調理等を行う場合、調理台の高さはほぼ一定であるため、人によって高すぎたり低すぎたりすることが多い。特に、最近のシステムキッチンでは、平均身長の伸びに伴って調理台の高さが高くなってきているため、高齢者にとっては調理台が高すぎて、手動利器の使用時に手首に負担が掛かることになった。
【０００４】
また、手や手首等に障害を持っている身障者や高齢者では、手動利器の使用時に、ハンドルに対して強い把持力や切断力を加えることができなくて、手動利器を上手く使用することができないこともあった。
【０００５】
さらに、身障者で車椅子を利用している人や、高齢者で長時間立っているのが辛い人は、まな板を机等に置いた状態で椅子に座って包丁等の手動利器を使用することが多い。このような場合には、まな板が高すぎて手動利器のハンドルに強い切断力を加えにくく、手首に負担が掛かることになった。
【０００６】
この発明は、このような従来の技術に存在する問題点に着目してなされたものである。その目的は、使用する場所や使用する人等の使用状況に応じて、利器本体に対するハンドルの取付状態を変更することができて、手首等に負担が掛かることなく容易に使用することができる手動利器を提供することにある。
【０００７】
【課題を解決するための手段】
上記の目的を達成するために、請求項１に記載の発明は、利器本体とハンドルとよりなる手動利器において、前記ハンドルを利器本体に対して向きの反転可能に取り付けるための取付手段を設けたことを特徴とするものである。
【０００８】
従って、この請求項１に記載の発明によれば、使用する場所や使用する人等の使用状況に応じて、利器本体に対するハンドルの取付状態を、上向き状態と下向き状態とに反転変更することができる。よって、手首等に負担が掛かることなく、手動利器を容易に使用して調理等を行うことができる。
【０００９】
請求項２に記載の発明は、請求項１に記載の発明において、前記取付手段は、ハンドルを利器本体に対して角度の変更可能に取り付けるための取付軸と、その取付軸に着脱可能に螺合するネジとよりなることを特徴とするものである。
【００１０】
従って、この請求項２に記載の発明によれば、取付軸に対してネジを脱着することにより、ハンドルの向きを容易に反転変更することができる。また、各向きのハンドルの取付状態において、利器本体に対するハンドルの角度を使用状況に応じて適宜に変更することができて、手動利器の使い勝手を一層高めることができる。
【００１１】
請求項３に記載の発明は、請求項２に記載の発明において、前記利器本体に対するハンドルの回動端部を規制するための規制手段を設けたことを特徴とするものである。
【００１２】
従って、この請求項３に記載の発明によれば、ハンドルが所定回動範囲を越えて過度に回動されるのを防止することができる。
【００１３】
【発明の実施の形態】
以下に、この発明の一実施形態を、図面に基づいて説明する。
図１〜図４に示すように、この実施形態の手動利器２１は、刃部２２ａ及び背部２２ｂを有する利器本体２２と、合成樹脂により湾曲状に形成されたハンドル２３とから構成されている。そして、取付軸２４及びその取付軸２４に着脱可能に螺合するネジ２５からなる取付手段としての取付構成により、ハンドル２３が利器本体２２に対して、図１に示す下向き状態と図８に示す上向き状態とに反転可能に取り付けられている。
【００１４】
前記利器本体２２の基端部には、ほぼ小判型の挿通孔２６が貫通形成されている。ハンドル２３の基端部には、利器本体２２を着脱可能に取り付けるための取付溝２７が形成されるとともに、利器本体２２の挿通孔２６に合致可能な円形状の挿通孔２８が取付溝２７と直交する方向へ貫通形成されている。また、ハンドル２３の先端部（尻端部）には、受け部２３ｂが一体形成され、その受け部２３ｂのほぼ中央には挿入孔２３ａが貫通形成されている。
【００１５】
前記取付軸２４には、断面ほぼ小判型の軸部２９及びほぼ半球状の頭部３０が設けられている。軸部２９の中心にはネジ孔２９ａが形成されている。頭部３０の中心には前記ハンドル２３の挿入孔２３ａと同径の挿入孔３０ａが外側に向かって開口するように形成されるとともに、頭部３０の外面には指掛け用の複数の凹部３０ｂが形成されている。
【００１６】
前記ネジ２５には、取付軸２４のネジ孔２９ａに螺合可能なネジ部３１及びほぼ半球状の頭部３２が設けられている。頭部３２の中心には前記ハンドル２３の挿入孔２３ａと同径の挿入孔３２ａが外側に向かって開口するように形成されるとともに、頭部３２の外面には指掛け用の複数の凹部３２ｂが及びほぼ十字状の回転操作用のスリット３２ｃが形成されている。
【００１７】
そして、湾曲状のハンドル２３が上向きまたは下向きにされた状態で、そのハンドル２３の取付溝２７に利器本体２２の基端部が挿入されている。この状態で、ハンドル２３の一側方から、そのハンドル２３及び利器本体２２の挿通孔２８，２６に取付軸２４の軸部２９が挿通されるとともに、ハンドル２３の他側方から、取付軸２４のネジ孔２９ａにネジ２５のネジ部３１が螺合されている。これにより、ハンドル２３が利器本体２２の基端部に対して、上向き状態と下向き状態とに反転可能に、かつ各状態で取付角度の変更可能に取り付けられている。
【００１８】
図３に示すように、前記利器本体２２の基端外周には、規制手段を構成する一対のストッパ部３３Ａ，３３Ｂが所定角度間隔をおいて形成されている。これらのストッパ部３３Ａ，３３Ｂと係合可能に対応するように、ハンドル２３の取付溝２７内には、規制手段を構成する一対の係合部３４Ａ，３４Ｂが所定間隔をおいて形成されている。そして、図１及び図８に鎖線で示すように、利器本体２２に対するハンドル２３の下向き及び上向きの各取付状態において、これらのストッパ部３３Ａ，３３Ｂと係合部３４Ａ，３４Ｂとの係合により、利器本体２２に対するハンドル２３の回動端部が規制されるようになっている。
【００１９】
図２及び図３に示すように、前記ハンドル２３の基端両側面には、位置決め手段を構成する複数のほぼ半球状の位置決め凹部３５が同一円周状で所定角度間隔をおいて形成されている。これらの位置決め凹部３５と係合可能に対応するように、取付軸２４の頭部３０の内面には、位置決め手段を構成する複数のほぼ半球状の位置決め突起３６が同一円周状で所定角度間隔をおいて形成されている。そして、利器本体２２に対するハンドル２３の下向き及び上向きの各取付状態において、これらの位置決め凹部３５と位置決め突起３６との選択係合により、ハンドル２３が利器本体２２に対して任意の角度に位置決めされるようになっている。
【００２０】
前記のような構成の手動利器２１には、図５〜図７に示すような付属具４０が付属して装備されている。この付属具４０は、合成樹脂により平面形ほぼ楕円形状に形成された付属具本体４１と、合成樹脂により所定長さの丸棒状に形成された棒体４２とから構成されている。
【００２１】
前記棒体４２の基端部には球状の頭部４２ａが形成されるとともに、先端部には割り溝４２ｂが形成されている。そして、手動利器２１の使用を一時的に休止する場合等においては、図１１に実線または鎖線で示すように、この棒体４２の先端部を手動利器２１の取付軸２４、ネジ２５またはハンドル２３の挿入孔３０ａ，３２ａ，２３ａに挿入保持する。これにより、手動利器２１全体を調理台上等に立設状態で載置できるようになっている。
【００２２】
前記付属具本体４１の底面両側には一対の支持突起４３が形成されている。付属具本体４１の上面中央には、３本の保持部としての保持溝４４が交差状態で異なった方向へ延びるように形成されている。そして、手動利器２１の使用を一時的に休止する場合等においては、図１２及び図１３に示すように、これらの保持溝４４に利器本体２２を挿入保持することにより、手動利器２１全体を調理台上等に立設状態で載置できるようになっている。
【００２３】
前記付属具本体４１の一側上面には、平面形ほぼ十字状のドライバ部４５が突設されている。そして、利器本体２２に対するハンドル２３の反転変更時に、このドライバ部４５をネジ２５の頭部３２上のスリット３２ｃに係合させて、そのネジ２５を緩めまたは締め付け回動させ得るようになっている。
【００２４】
前記付属具本体４１の他側上面には、棒体４２を着脱可能に支持するための支持部４６が形成されている。この支持部４６は、棒体４２の頭部４２ａに係合可能な３つの支持爪４６ａと、棒体４２の首部に係合可能な支持凹部４６ｂとから構成されている。
【００２５】
そして、図５〜図７に示すように、支持爪４６ａが棒体４２の頭部４２ａに３方向から係合するとともに、支持凹部４６ｂが棒体４２の首部に下方から係合することにより、棒体４２が付属具本体４１上に係止支持される。また、この棒体４２の支持状態で、図７に矢印で示すように、棒体４２の先端部を下方に押圧することにより、てこの作用で棒体４２の頭部４２ａが支持爪４６ａ間から離脱されて、棒体４２を付属具本体４１上から取り外しできるようになっている。
【００２６】
次に、前記のように構成された手動利器２１の作用を説明する。
さて、この手動利器２１を使用して調理台上で調理を行う際、その調理台が使用者にとって高すぎる場合には、図１に示すように、取付軸２４及びネジ２５により、湾曲状のハンドル２３を利器本体２２に対して下向き状態で取り付ける。この状態では、ハンドル２３の尻端部の受け部２３ｂに対して小指側が当てられる状態になる。そして、このハンドル２３の下向き取付状態において、利器本体２２に対するハンドル２３の取付角度を、使用状況に応じて図１に鎖線で示す範囲内で任意に変更設定する。
【００２７】
この場合、取付軸２４に対してネジ２５を緩めた状態で、ハンドル２３と利器本体２２とを所望の角度状態に相対回動させた後、ネジ２５を締め付ければ、位置決め凹部３５と位置決め突起３６との係合により、ハンドル２３が所望の角度状態に確実に位置決め保持される。また、このハンドル２３と利器本体２２との相対回動時には、ストッパ部３３Ａ，３３Ｂと係合部３４Ａ，３４Ｂとの係合により、利器本体２２に対するハンドル２３の回動端部が規制されるため、ハンドル２３が所定回動範囲を越えて過度に回動されるおそれはない。
【００２８】
さらに、前記ネジ２５の緩めまたは締め付け回動時には、取付軸２４及びネジ２５の頭部３０，３２上の凹部３０ｂ，３２ｂに指を掛け、あるいはネジ２５の頭部３２上のスリット３２ｃに硬貨あるいは付属具本体４１のドライバ部４５を係合させる。これにより、ネジ２５を取付軸２４に対して、容易に緩めまたは締め付け回動させることができる。
【００２９】
そして、このハンドル２３の下向き取付状態で、手動利器２１を使用して調理を行えば、調理台が使用者にとって高すぎる場合にも、手首等に負担が掛かることなく、手動利器２１を容易に取り扱うことができる。また、図１に実線で示すようなハンドル２３の取付角度状態において、ハンドル２３の先端部を調理台やまな板の上面に当接させた状態で、ハンドル２３を上下に操作すれば、利器本体２２に強い切断力を発生させることができる。よって、手や手首等に障害を持っている身障者や高齢者であっても、手動利器２１を上手く使用して調理等を行うことができる。
【００３０】
次に、車椅子を利用している身障者や、長時間立っているのが辛いような高齢者が、まな板を机等に置いた状態で椅子に座って手動利器２１を使用する場合には、図８に示すように、ハンドル２３を利器本体２２に対して上向き状態に反転変更して取り付ける。この状態では、ハンドル２３の尻端部の受け部２３ｂに対して人差し指側が受けられる状態になる。そして、このハンドル２３の上向き取付状態においても、利器本体２２に対するハンドル２３の取付角度を、使用状況に応じて図８に鎖線で示す範囲内で任意に変更設定する。
【００３１】
この場合にも、前記の場合と同様に、位置決め凹部３５と位置決め突起３６との係合により、ハンドル２３が所望の角度状態に位置決め保持される。また、ストッパ部３３Ａ，３３Ｂと係合部３４Ａ，３４Ｂとの係合により、利器本体２２に対するハンドル２３の回動端部が規制される。さらに、凹部３０ｂ，３２ｂに指を掛け、あるいはスリット３２ｃに硬貨あるいは付属具本体４１のドライバ部４５を係合させることにより、ネジ２５を容易に緩めまたは締め付け回動させることができる。
【００３２】
そして、このハンドル２３の上向き取付状態で、手動利器２１を使用して調理を行えば、机等に置かれたまな板が高すぎる場合にも、手首等に負担が掛かることなく、手動利器２１を容易に取り扱うことができる。特に、図８に鎖線で示すように、ハンドル２３の先端部が利器本体２２の背部２２ｂに接触した取付角度状態で使用すれば、ハンドル２３の押圧操作により、利器本体２２に強い切断力を発生させることができる。
【００３３】
さらに、図８に実線で示すようなハンドル２３の取付角度状態において、ハンドル２３の基端外面をまな板の上面に当接させた状態で、ハンドル２３を回動操作すれば、利器本体２２に強い切断力を発生させることができる。よって、前記の場合と同様に、手や手首等に障害を持っている身障者や高齢者であっても、手動利器２１を上手く使用して調理等を行うことができる。
【００３４】
また、特にハンドル２３の把持力が弱い高齢者等では、図９に示すように、ハンドル２３の先端部の挿入孔２３ａに棒体４２を挿入保持し、その棒体４２とハンドル２３の基端部との間に紐やゴム等の保持バンド４７を掛け渡す。この状態で、ハンドル２３を把持すれば、保持バンド４７により各指がハンドル２３側に押し付けられて、ハンドル２３に対する把持力が補強される。よって、把持力が弱っている場合でも、ハンドル２３を確実に把持して手動利器２１を容易に使用することができる。
【００３５】
さらに、この手動利器２１を使用して、餅等の硬い物を切断する場合には、図１０に示すように、付属具本体４１を上下逆にして、その保持溝４４を利器本体２２の背部２２ｂに係合させる。この状態で、付属具本体４１を介して利器本体２２の背部２２ｂを直接押圧すれば、利器本体２２に強い切断力を生じさせることができて、硬い物でも容易に切断することができる。
【００３６】
一方、手動利器２１の使用を一時的に休止する場合等においては、図１１に実線または鎖線で示すように、棒体４２を取付軸２４、ネジ２５またはハンドル２３の挿入孔３０ａ，３２ａ，２３ａに選択的に挿入保持する。そして、この棒体４２により手動利器２１全体を調理台上等に立設状態で容易に載置しておくことができる。
【００３７】
また、この手動利器２１の使用休止時には、図１２及び図１３に示すように、付属具本体４１上の複数の保持溝４４に利器本体２２を選択的に挿入保持することにより、手動利器２１全体を調理台上等に立設状態で載置しておくこともできる。この場合、付属具本体４１の底面に一対の支持突起４３が設けられているため、利器本体２２に対するハンドル２３の取付角度状態に応じて、付属具本体４１が支持突起４３を中心に、前下がりの傾斜状態と後下がりの傾斜状態との間で任意の状態に回動される。よって、手動利器２１を立設状態に安定して載置保持することができる。
【００３８】
従って、この実施形態によれば、以下のような効果を得ることができる。
（１）　この手動利器２１においては、取付軸２４とその取付軸２４に着脱可能に螺合するネジ２５とからなる取付構成により、湾曲状のハンドル２３が利器本体２２に対して上向き状態と下向き状態とに反転可能に取り付けられている。このため、使用する場所や使用する人等の使用状況に応じて、利器本体２２に対するハンドル２３の取付状態を、上向き状態と下向き状態とに反転変更することができる。よって、手首等に負担が掛かることなく、手動利器２１を容易に使用して調理等を行うことができる。また、このハンドル２３の反転時には、取付軸２４に対してネジ２５を脱着するという簡単な操作により、ハンドル２３の向きを容易に変更することができる。
【００３９】
（２）　この手動利器２１においては、前記ハンドル２３の上向き及び下向きの各取付状態において、利器本体２２に対するハンドル２３の取付角度が変更可能になっている。このため、手動利器２１の使用状況に応じて、利器本体２２に対するハンドル２３の角度を適宜に変更することができて、手動利器２１の使い勝手を一層高めることができる。
【００４０】
（３）　この手動利器２１においては、前記利器本体２２及びハンドル２３に、利器本体２２に対するハンドル２３の回動端部を規制するためのストッパ部３３Ａ，３３Ｂ及び係合部３４Ａ，３４Ｂが係合可能に対応配置されている。このため、ハンドル２３が所定回動範囲を越えて過度に回動されるのを防止することができる。
【００４１】
（４）　この手動利器２１においては、前記ハンドル２３及び取付軸２４に、ハンドル２３を利器本体２２に対して任意の角度に位置決めするための複数の位置決め凹部３５及び位置決め突起３６が係合可能に対応配置されている。このため、ハンドル２３を任意の角度設定状態に確実に位置決めすることができて、その状態で手動利器２１を安定に使用することができる。
【００４２】
（５）　この手動利器２１においては、付属具４０が付属して装備され、その付属具本体４１上には、利器本体２２を保持して手動利器２１全体を立設状態に載置するための複数の保持溝４４が異なった方向へ延長形成されている。このため、手動利器２１の使用を一時的に休止する場合等において、利器本体２２を付属具本体４１上の保持溝４４に挿入保持することにより、手動利器２１全体を調理台上等に立設状態で載置しておくことができる。また、複数の保持溝４４が異なった方向に延長形成されているため、手動利器２１の使用状況に応じて任意の保持溝４４を選択して、利器本体２２を容易に挿入離脱させることができる。
【００４３】
（６）　この手動利器２１用の付属具４０においては、前記付属具本体４１にドライバ部４５が形成されている。このため、利器本体２２に対するハンドル２３の反転変更時に、このドライバ部４５をネジ２５の頭部３２上のスリット３２ｃに係合させることにより、そのネジ２５を容易に緩めまたは締め付け回動させることができる。
【００４４】
（７）　この手動利器２１用の付属具４０においては、前記手動利器２１の取付軸２４またはネジ２５の外端部に形成された挿入孔３０ａ，３２ａ、あるいはハンドル２３の先端部に形成された挿入孔２３ａに挿入保持可能な棒体４２が装備されている。このため、手動利器２１の使用を一時的に休止する場合等において、棒体４２をいずれかの挿入孔３０ａ，３２ａ，２３ａに挿入保持した状態で、手動利器２１全体を調理台上等に立設状態で載置しておくことができる。
【００４５】
また、ハンドル２３の把持力が弱い高齢者等では、棒体４２をハンドル２３の先端部の挿入孔２３ａに挿入保持した状態で、その棒体４２とハンドル２３の基端部との間に紐やゴム等の保持バンド４７を掛け渡すことにより、ハンドル２３に対する把持力を補助することができる。さらに、不使用時に棒体４２を付属具本体４１上の支持部４６に係合させて支持しておくことができるため、棒体４２が紛失するおそれを防止することもできる。なお、棒体４２を支持部４６上において上下方向を向くように立てた状態では、その棒体４２を輪ゴムかけ等として利用することができる。
【００４６】
（変更例）
なお、この実施形態は、次のように変更して具体化することも可能である。
・　前記実施形態においては、ハンドル２３が湾曲状に形成されているが、これを側面形ほぼＬ字状等の屈曲状に形成すること。
【００４７】
・　前記実施形態とは逆に、ハンドル２３の基端両側面に複数の位置決め突起３６を形成し、取付軸２４の頭部３０の内面に複数の位置決め凹部３５を形成すること。
【００４８】
・　前記実施形態において、規制手段としてのストッパ部３３Ａ，３３Ｂ及び係合部３４Ａ，３４Ｂを、取付軸２４の頭部３０とハンドル２３の基端外面とに係合可能に設けること。
【００４９】
・　利器本体２２としての包丁の刃の形状を変更したり、包丁の刃以外のものを用いたりすること。
以上のように構成しても、前記実施形態とほぼ同様な効果を得ることができる。
【００５０】
さらに、上記実施形態により把握される請求項以外の技術的思想について、以下にそれらの効果とともに記載する。
（Ａ）　前記ハンドルを利器本体に対して任意の角度に位置決めするための位置決め手段を設けた請求項２または請求項３に記載の手動利器。
【００５１】
この構成によれば、ハンドルを任意の角度設定状態に確実に位置決めすることができて、その状態で手動利器を安定に使用することができる。
（Ｂ）　前記ネジの頭部には回転操作用のスリットを形成した請求項２、請求項３または前記（Ａ）のいずれかに記載の手動利器。
【００５２】
この構成によれば、利器本体に対するハンドルの反転変更時に、スリットに工具や硬貨等を挿入して、ネジを容易に緩めまたは締め付け回動させることができる。
【００５３】
（Ｃ）　前記請求項１〜請求項３、（Ａ）または（Ｂ）のいずれかに記載の手動利器用の付属具であって、付属具本体には利器本体を保持して手動利器全体を立設状態に載置するための保持部を設けた手動利器用の付属具。
【００５４】
この構成によれば、手動利器の使用を一時的に休止する場合等において、利器本体を付属具本体上の保持部に保持することにより、手動利器全体を調理台上等に立設状態で載置しておくことができる。
【００５５】
（Ｄ）　前記保持部は利器本体に係合可能な保持溝からなる前記（Ｃ）に記載の手動利器用の付属具。
この構成によれば、付属具本体上に保持溝を形成するのみでよくて、保持部の形状構成が簡単であるとともに、利器本体を保持溝に対して容易に挿入離脱させることができる。
【００５６】
（Ｅ）　前記付属具本体には、手動利器の取付軸に螺合するネジの頭部のスリットに係合可能なドライバ部を設けた前記（Ｃ）または（Ｄ）に記載の手動利器用の付属具。
【００５７】
この構成によれば、利器本体に対するハンドルの反転変更時に、付属具本体上のドライバ部を使用して、ネジを容易に緩めまたは締め付け回動させることができる。
【００５８】
（Ｆ）　前記手動利器の取付軸またはネジの外端部に形成された挿入孔、あるいはハンドルの先端部に形成された挿入孔に挿入保持可能な棒体を備える前記（Ｃ）〜（Ｅ）のいずれかに記載の手動利器用の付属具。
【００５９】
この構成によれば、手動利器の使用を一時的に休止する場合等において、棒体をいずれかの挿入孔に挿入保持した状態で、手動利器全体を調理台上等に立設状態で載置しておくことができる。また、ハンドルの把持力が弱い高齢者等では、棒体をハンドルの先端部の挿入孔に挿入保持した状態で、その棒体とハンドルの基端部との間に紐やゴム等の保持バンドを掛け渡すことにより、ハンドルに対する把持力を補助することができる。
【００６０】
（Ｇ）　前記付属具本体には棒体を着脱可能に支持するための支持部を設けた前記（Ｆ）に記載の手動利器用の付属具。
この構成によれば、不使用時に棒体を付属具本体上の支持部に支持しておくことができて、棒体が紛失するおそれを防止することができる。
【００６１】
（Ｈ）　一部に孔を形成した手動利器と、前記孔に着脱可能に挿入され、挿入状態では手動利器を立設状態で保持するための棒体とを備えた手動利器セット。このように構成すれば、手動利器を所要の位置に立設させることができ、使い勝手のよいものとなる。
【００６２】
【発明の効果】
以上、実施形態で例示したように、この発明においては、使用する場所や使用する人等の使用状況に応じて、利器本体に対するハンドルの取付状態を変更することができて、手首等に負担が掛かることなく容易に使用することができるという優れた効果を発揮する。
【図面の簡単な説明】
【図１】一実施形態の手動利器を示す正面図。
【図２】図１の２−２線における拡大断面図。
【図３】図２の３−３線における部分断面図。
【図４】図１の手動利器を分解して示す斜視図。
【図５】図１の手動利器に付属する付属具を示す平面図。
【図６】図５の付属具の正面図。
【図７】図５の７−７線における断面図。
【図８】図１の手動利器のハンドルを反転させた状態を示す正面図。
【図９】棒体を利用した手動利器の使用状態を示す斜視図。
【図１０】付属具を利用した手動利器の使用状態を示す断面図。
【図１１】棒体による手動利器の載置保持状態を示す斜視図。
【図１２】付属具による手動利器の載置保持状態を示す断面図。
【図１３】付属具による手動利器の別の載置保持状態を示す断面図。
【符号の説明】
２１…手動利器、２２…利器本体、２３…ハンドル、２３ａ…挿入孔、２３ｂ…受け部、２４…取付手段を構成する取付軸、２５…取付手段を構成するネジ、２９…軸部、２９ａ…ネジ孔、３０…頭部、３０ａ…挿入孔、３１…ネジ部、３２…頭部、３２ａ…挿入孔、３２ｃ…スリット、３３Ａ，３３Ｂ…規制手段を構成するストッパ部、３４Ａ，３４Ｂ…規制手段を構成する係合部、３５…位置決め手段を構成する位置決め凹部、３６…位置決め手段を構成する位置決め突起、４０…付属具、４１…付属具本体、４２…棒体、４４…保持部としての保持溝、４５…ドライバ部、４６…支持部、４７…保持バンド。
【図１】
2004024288.tif 000003
【図２】
2004024288.tif 000004
【図３】
2004024288.tif 000005
【図４】
2004024288.tif 000006
【図５】
2004024288.tif 000007
【図６】
2004024288.tif 000008
【図７】
2004024288.tif 000009
【図８】
2004024288.tif 000010
【図９】
2004024288.tif 000011
【図１０】
2004024288.tif 000012
【図１１】
2004024288.tif 000013
【図１２】
2004024288.tif 000014
【図１３】
2004024288.tif 000015